(57)【特許請求の範囲】
【請求項１】
コンピュータに接続された表示装置の画面に、ブロック群を構成する複数のブロックを配列表示する配列表示ステップと、
物理量のスケールを複数の小スケールに細分化してそれぞれ前記複数のブロックに割り当てる割当てステップと、
前記複数のブロックのうち、物理量の計測結果に対応する１つのブロックに対して着色する表示を行う着色表示ステップと、
前記ブロック群のうち、着色された前記１つのブロックの長軸を回転軸として、残りのブロックを３次元的に回転させる表示を行う動作表示ステップとを有し、
前記物理量の計測結果を、着色された前記１つのブロックと前記残りのブロックとの位置関係と、着色された前記１つのブロックに対する着色量で表すことを特徴とする物理量表示方法。
【請求項２】
請求項１記載の物理量表示方法において、
前記配列表示ステップは、
前記ブロック群を構成する前記複数のブロックを円周に沿って配列することを特徴とする物理量表示方法。
【請求項３】
請求項１又は２記載の物理量表示方法において、
さらに、
前記配列表示ステップによる前記ブロック群の表示と同時に、前記表示装置の画面に、
前記コンピュータで使用されるパラメータの値を設定変更するためのメニュー画面を表示するメニュー表示ステップを有することを特徴とする物理量表示方法。
【請求項４】
コンピュータに接続された表示装置の画面に、ブロック群を構成する複数のブロックを、円周に沿って配列表示する配列表示ステップと、
前記ブロック群における複数のブロックのうち、時刻情報の時間データに対応する１つのブロックを選択するブロック選択ステップと、
選択された前記１つのブロックに対する着色量を前記時刻情報の少なくとも分データに基づいて決定し、選択された前記１つのブロックを着色表示する着色表示ステップと、
前記ブロック群のうち、着色された前記１つのブロックの長軸を回転軸として、残りのブロックを３次元的に回転させる表示を行う動作表示ステップとを有することを特徴とする時刻表示方法。
【請求項５】
コンピュータに接続された表示装置の画面に、第１のブロック群を構成する複数の第１ブロックを、第１の円周に沿って配列表示する第１の配列表示ステップと、
第２のブロック群を構成する複数の第２ブロックを、第２の円周に沿って配列表示する第２の配列表示ステップと、
前記第１のブロック群における複数の第１ブロックのうち、時刻情報の時間データに対応する１つの第１ブロックを選択する第１のブロック選択ステップと、
選択された前記１つの第１ブロックに対する着色量を前記時刻情報の少なくとも分データに基づいて決定し、選択された前記１つの第１ブロックを着色表示する第１の着色表示ステップと、
前記第２のブロック群における複数の第２ブロックのうち、前記時刻情報の分データに対応する１つの第２ブロックを選択する第２のブロック選択ステップと、
選択された前記１つの第２ブロックに対する着色量を前記時刻情報の分データ及び秒データに基づいて決定し、選択された前記１つの第２ブロックを着色表示する第２の着色表示ステップと、
前記第１のブロック群のうち、着色された前記１つの第１ブロックの長軸を回転軸として、前記第１のブロック群の残りの第１ブロックを３次元的に回転させる表示を行う第１の動作表示ステップと、
前記第２のブロック群のうち、着色された前記１つの第２ブロックの長軸を回転軸として、前記第２のブロック群の残りの第２ブロックを３次元的に回転させる表示を行う第２の動作表示ステップとを有することを特徴とする時刻表示方法。
【請求項６】
コンピュータに接続された表示装置の画面に、ブロック群を構成する複数のブロックを配列表示する配列表示手段と、
物理量のスケールを複数の小スケールに細分化してそれぞれ前記複数のブロックに割り当てる割当て手段と、
前記複数のブロックのうち、物理量の計測結果に対応する１つのブロックに対して着色する表示を行う着色表示手段と、
前記ブロック群のうち、着色された前記１つのブロックの長軸を回転軸として、残りのブロックを３次元的に回転させる表示を行う動作表示手段とを有し、
前記物理量の計測結果を、着色された前記１つのブロックと前記残りのブロックとの位置関係と、着色された前記１つのブロックに対する着色量で表すことを特徴とする物理量表示装置。
【請求項７】
請求項６記載の物理量表示装置において、
前記配列表示手段は、
前記ブロック群を構成する前記複数のブロックを円周に沿って配列することを特徴とする物理量表示装置。
【請求項８】
請求項６又は７記載の物理量表示装置において、
さらに、
前記配列表示手段による前記ブロック群の表示と同時に、前記表示装置の画面に、前記コンピュータで使用されるパラメータの値を設定変更するためのメニュー画面を表示するメニュー表示手段を有することを特徴とする物理量表示装置。
【請求項９】
コンピュータに接続された表示装置の画面に、ブロック群を構成する複数のブロックを、円周に沿って配列表示する配列表示手段と、
前記ブロック群における複数のブロックのうち、時刻情報の時間データに対応する１つのブロックを選択するブロック選択手段と、
選択された前記１つのブロックに対する着色量を前記時刻情報の少なくとも分データに基づいて決定し、選択された前記１つのブロックを着色表示する着色表示手段と、
前記ブロック群のうち、着色された前記１つのブロックの長軸を回転軸として、残りのブロックを３次元的に回転させる表示を行う動作表示手段とを有することを特徴とする時刻表示装置。
【請求項１０】
コンピュータに接続された表示装置の画面に、第１のブロック群を構成する複数の第１ブロックを、第１の円周に沿って配列表示する第１の配列表示手段と、
第２のブロック群を構成する複数の第２ブロックを、第２の円周に沿って配列表示する第２の配列表示手段と、
前記第１のブロック群における複数の第１ブロックのうち、時刻情報の時間データに対応する１つの第１ブロックを選択する第１のブロック選択手段と、
選択された前記１つの第１ブロックに対する着色量を前記時刻情報の少なくとも分データに基づいて決定し、選択された前記１つの第１ブロックを着色表示する第１の着色表示手段と、
前記第２のブロック群における複数の第２ブロックのうち、前記時刻情報の分データに対応する１つの第２ブロックを選択する第２のブロック選択手段と、
選択された第２ブロックに対する着色量を前記時刻情報の分データ及び秒データに基づいて決定し、選択された前記１つの第２ブロックを着色表示する第２の着色表示手段と、
前記第１のブロック群のうち、着色された前記１つの第１ブロックの長軸を回転軸として、前記第１のブロック群の残りの第１ブロックを３次元的に回転させる表示を行う第１の動作表示手段と、
前記第２のブロック群のうち、着色された前記１つの第２ブロックの長軸を回転軸として、前記第２のブロック群の残りの第２ブロックを３次元的に回転させる表示を行う第２の動作表示手段とを有することを特徴とする時刻表示装置。
【請求項１１】
コンピュータを有する表示装置を、
前記表示装置の画面に、ブロック群を構成する複数のブロックを配列表示する配列表示手段、
物理量のスケールを複数の小スケールに細分化してそれぞれ前記複数のブロックに割り当てる割当て手段、
前記複数のブロックのうち、物理量の計測結果に対応する１つのブロックに対して着色する表示を行う着色表示手段、
前記ブロック群のうち、着色された前記１つのブロックの長軸を回転軸として、残りのブロックを３次元的に回転させる表示を行う動作表示手段、
前記物理量の計測結果を、着色された前記１つのブロックと前記残りのブロックとの位置関係と、着色された前記１つのブロックに対する着色量で表す手段、
として機能させるためのプログラムを記録したコンピュータ読み取り可能な記録媒体。
【請求項１２】
請求項１１記載の記録媒体において、
前記配列表示手段は、
前記ブロック群を構成する複数のブロックを円周に沿って配列することを特徴とする記録媒体。
【請求項１３】
請求項１１又は１２記載の記録媒体において、
前記プログラムは、さらに、
前記配列表示ステップによる前記ブロック群の表示と同時に、前記表示装置の画面に、前記コンピュータで使用されるパラメータの値を設定変更するためのメニュー画面を表示するメニュー表示手段を有することを特徴とする記録媒体。
【請求項１４】
コンピュータを有する時刻表示装置を、
前記時刻表示装置の画面に、ブロック群を構成する複数のブロックを、円周に沿って配列表示する配列表示手段、
前記ブロック群における複数のブロックのうち、時刻情報の時間データに対応する１つのブロックを選択するブロック選択手段、
選択された前記１つのブロックに対する着色量を前記時刻情報の少なくとも分データに基づいて決定し、選択された前記１つのブロックを着色表示する着色表示手段、
前記ブロック群のうち、着色された前記１つのブロックの長軸を回転軸として、残りのブロックを３次元的に回転させる表示を行う動作表示手段、
として機能させるためのプログラムを記録したコンピュータ読み取り可能な記録媒体。
【請求項１５】
コンピュータを有する時刻表示装置を、
前記時刻表示装置の画面に、第１のブロック群を構成する複数の第１ブロックを、第１の円周に沿って配列表示する第１の配列表示手段、
第２のブロック群を構成する複数の第２ブロックを、第２の円周に沿って配列表示する第２の配列表示手段、
前記第１のブロック群における複数の第１ブロックのうち、時刻情報の時間データに対応する１つの第１ブロックを選択する第１のブロック選択手段、
選択された前記１つの第１ブロックに対する着色量を前記時刻情報の少なくとも分データに基づいて決定し、選択された前記１つの第１ブロックを着色表示する第１の着色表示手段、
前記第２のブロック群における複数の第２ブロックのうち、前記時刻情報の分データに対応する１つの第２ブロックを選択する第２のブロック選択手段、
選択された前記１つの第２ブロックに対する着色量を前記時刻情報の分データ及び秒データに基づいて決定し、選択された前記１つの第２ブロックを着色表示する第２の着色表示手段、
前記第１のブロック群のうち、着色された前記１つの第１ブロックの長軸を回転軸として、前記第１のブロック群の残りの第１ブロックを３次元的に回転させる表示を行う第１の動作表示手段、
前記第２のブロック群のうち、着色された前記１つの第２ブロックの長軸を回転軸として、前記第２のブロック群の残りの第２ブロックを３次元的に回転させる表示を行う第２の動作表示手段、
として機能させるためのプログラムを記録したコンピュータ読み取り可能な記録媒体。
【発明の詳細な説明】
【０００１】
【発明の属する技術分野】
本発明は、時間情報を含む物理量の計測結果を、多数のブロックの配置や特定のブロックへの着色で表現するようにした物理量表示方法、時刻表示方法、物理量表示装置及び時刻表示装置並びに前記表示処理を実現するプログラムやデータが記録された記録媒体に関する。
【０００２】
【従来の技術】
物理量の計測結果を表示する装置としては、計測結果に従って例えばデジタル的に数値が変化するものや、指針が動作するアナログ的なものがある。
【０００３】
デジタル的に数値が変化する装置は、計測結果を正確に表示することができるが、直感的に把握することができず、また、数字だけの表示になるため、味気ない表示になりがちである。
【０００４】
一方、アナログ的に指針が動作する装置は、計測結果を直感的に把握することができるが、指針を見失うことがあるという不都合がある。
【０００５】
【発明が解決しようとする課題】
本発明はこのような課題を考慮してなされたものであり、時間情報を含む物理量の計測結果を表示するものであって、デジタル的な表示部分とアナログ的な表示部分を併せ持ち、面白みのある表示形態を表出させることができる物理量表示方法、時刻表示方法、物理量表示装置、時刻表示装置及び記録媒体を提供することを目的とする。
【０００６】
本発明の他の目的は、味気なかったパラメータの設定変更を面白くすることができ、コンピュータに対する興味を持たせることができる物理量表示方法、時刻表示方法、物理量表示装置、時刻表示装置及び記録媒体を提供することにある。
【０００７】
【課題を解決するための手段】
本発明に係る物理量表示方法は、コンピュータに接続された表示装置の画面に、ブロック群を構成する複数のブロックを配列表示する配列表示ステップと、物理量のスケールを複数の小スケールに細分化してそれぞれ前記複数のブロックに割り当てる割当てステップと、前記複数のブロックのうち、物理量の計測結果に対応する１つのブロックに対して着色する表示を行う着色表示ステップと、前記ブロック群のうち、着色された前記１つのブロックの長軸を回転軸として、残りのブロックを３次元的に回転させる表示を行う動作表示ステップとを有し、前記物理量の計測結果を、着色された前記１つのブロックと前記残りのブロックとの位置関係と、着色された前記１つのブロックに対する着色量で表すことを特徴とする。
また、本発明に係る時刻表示方法は、コンピュータに接続された表示装置の画面に、ブロック群を構成する複数のブロックを、円周に沿って配列表示する配列表示ステップと、前記ブロック群における複数のブロックのうち、時刻情報の時間データに対応する１つのブロックを選択するブロック選択ステップと、選択された前記１つのブロックに対する着色量を前記時刻情報の少なくとも分データに基づいて決定し、選択された前記１つのブロックを着色表示する着色表示ステップと、前記ブロック群のうち、着色された前記１つのブロックの長軸を回転軸として、残りのブロックを３次元的に回転させる表示を行う動作表示ステップとを有することを特徴とする。
また、本発明に係る時刻表示方法は、コンピュータに接続された表示装置の画面に、第１のブロック群を構成する複数の第１ブロックを、第１の円周に沿って配列表示する第１の配列表示ステップと、第２のブロック群を構成する複数の第２ブロックを、第２の円周に沿って配列表示する第２の配列表示ステップと、前記第１のブロック群における複数の第１ブロックのうち、時刻情報の時間データに対応する１つの第１ブロックを選択する第１のブロック選択ステップと、選択された前記１つの第１ブロックに対する着色量を前記時刻情報の少なくとも分データに基づいて決定し、選択された前記１つの第１ブロックを着色表示する第１の着色表示ステップと、前記第２のブロック群における複数の第２ブロックのうち、前記時刻情報の分データに対応する１つの第２ブロックを選択する第２のブロック選択ステップと、選択された前記１つの第２ブロックに対する着色量を前記時刻情報の分データ及び秒データに基づいて決定し、選択された前記１つの第２ブロックを着色表示する第２の着色表示ステップと、前記第１のブロック群のうち、着色された前記１つの第１ブロックの長軸を回転軸として、前記第１のブロック群の残りの第１ブロックを３次元的に回転させる表示を行う第１の動作表示ステップと、前記第２のブロック群のうち、着色された前記１つの第２ブロックの長軸を回転軸として、前記第２のブロック群の残りの第２ブロックを３次元的に回転させる表示を行う第２の動作表示ステップとを有することを特徴とする。
【０００８】
本発明に係る物理量表示装置は、コンピュータに接続された表示装置の画面に、ブロック群を構成する複数のブロックを配列表示する配列表示手段と、物理量のスケールを複数の小スケールに細分化してそれぞれ前記複数のブロックに割り当てる割当て手段と、前記複数のブロックのうち、物理量の計測結果に対応する１つのブロックに対して着色する表示を行う着色表示手段と、前記ブロック群のうち、着色された前記１つのブロックの長軸を回転軸として、残りのブロックを３次元的に回転させる表示を行う動作表示手段とを有し、前記物理量の計測結果を、着色された前記１つのブロックと前記残りのブロックとの位置関係と、着色された前記１つのブロックに対する着色量で表すことを特徴とする。
また、本発明に係る時刻表示装置は、コンピュータに接続された表示装置の画面に、ブロック群を構成する複数のブロックを、円周に沿って配列表示する配列表示手段と、前記ブロック群における複数のブロックのうち、時刻情報の時間データに対応する１つのブロックを選択するブロック選択手段と、選択された前記１つのブロックに対する着色量を前記時刻情報の少なくとも分データに基づいて決定し、選択された前記１つのブロックを着色表示する着色表示手段と、前記ブロック群のうち、着色された前記１つのブロックの長軸を回転軸として、残りのブロックを３次元的に回転させる表示を行う動作表示手段とを有することを特徴とする。
また、本発明に係る時刻表示装置は、コンピュータに接続された表示装置の画面に、第１のブロック群を構成する複数の第１ブロックを、第１の円周に沿って配列表示する第１の配列表示手段と、第２のブロック群を構成する複数の第２ブロックを、第２の円周に沿って配列表示する第２の配列表示手段と、前記第１のブロック群における複数の第１ブロックのうち、時刻情報の時間データに対応する１つの第１ブロックを選択する第１のブロック選択手段と、選択された前記１つの第１ブロックに対する着色量を前記時刻情報の少なくとも分データに基づいて決定し、選択された前記１つの第１ブロックを着色表示する第１の着色表示手段と、前記第２のブロック群における複数の第２ブロックのうち、前記時刻情報の分データに対応する１つの第２ブロックを選択する第２のブロック選択手段と、選択された第２ブロックに対する着色量を前記時刻情報の分データ及び秒データに基づいて決定し、選択された前記１つの第２ブロックを着色表示する第２の着色表示手段と、前記第１のブロック群のうち、着色された前記１つの第１ブロックの長軸を回転軸として、前記第１のブロック群の残りの第１ブロックを３次元的に回転させる表示を行う第１の動作表示手段と、前記第２のブロック群のうち、着色された前記１つの第２ブロックの長軸を回転軸として、前記第２のブロック群の残りの第２ブロックを３次元的に回転させる表示を行う第２の動作表示手段とを有することを特徴とする。
【０００９】
本発明に係る記録媒体は、コンピュータを有する表示装置を、前記表示装置の画面に、ブロック群を構成する複数のブロックを配列表示する配列表示手段、物理量のスケールを複数の小スケールに細分化してそれぞれ前記複数のブロックに割り当てる割当て手段、前記複数のブロックのうち、物理量の計測結果に対応する１つのブロックに対して着色する表示を行う着色表示手段、前記ブロック群のうち、着色された前記１つのブロックの長軸を回転軸として、残りのブロックを３次元的に回転させる表示を行う動作表示手段、前記物理量の計測結果を、着色された前記１つのブロックと前記残りのブロックとの位置関係と、着色された前記１つのブロックに対する着色量で表す手段、として機能させるためのプログラムを記録したコンピュータ読み取り可能な記録媒体である。
また、本発明に係る記録媒体は、コンピュータを有する時刻表示装置を、前記時刻表示装置の画面に、ブロック群を構成する複数のブロックを、円周に沿って配列表示する配列表示手段、前記ブロック群における複数のブロックのうち、時刻情報の時間データに対応する１つのブロックを選択するブロック選択手段、選択された前記１つのブロックに対する着色量を前記時刻情報の少なくとも分データに基づいて決定し、選択された前記１つのブロックを着色表示する着色表示手段、前記ブロック群のうち、着色された前記１つのブロックの長軸を回転軸として、残りのブロックを３次元的に回転させる表示を行う動作表示手段、として機能させるためのプログラムを記録したコンピュータ読み取り可能な記録媒体である。
また、本発明に係る記録媒体は、コンピュータを有する時刻表示装置を、前記時刻表示装置の画面に、第１のブロック群を構成する複数の第１ブロックを、第１の円周に沿って配列表示する第１の配列表示手段、第２のブロック群を構成する複数の第２ブロックを、第２の円周に沿って配列表示する第２の配列表示手段、前記第１のブロック群における複数の第１ブロックのうち、時刻情報の時間データに対応する１つの第１ブロックを選択する第１のブロック選択手段、選択された前記１つの第１ブロックに対する着色量を前記時刻情報の少なくとも分データに基づいて決定し、選択された前記１つの第１ブロックを着色表示する第１の着色表示手段、前記第２のブロック群における複数の第２ブロックのうち、前記時刻情報の分データに対応する１つの第２ブロックを選択する第２のブロック選択手段、選択された前記１つの第２ブロックに対する着色量を前記時刻情報の分データ及び秒データに基づいて決定し、選択された前記１つの第２ブロックを着色表示する第２の着色表示手段、前記第１のブロック群のうち、着色された前記１つの第１ブロックの長軸を回転軸として、前記第１のブロック群の残りの第１ブロックを３次元的に回転させる表示を行う第１の動作表示手段、前記第２のブロック群のうち、着色された前記１つの第２ブロックの長軸を回転軸として、前記第２のブロック群の残りの第２ブロックを３次元的に回転させる表示を行う第２の動作表示手段、として機能させるためのプログラムを記録したコンピュータ読み取り可能な記録媒体である。
【００１１】
これにより、多数のブロックにおける着色対象のブロックの位置関係が、計測結果のデジタル的な表示部分となり、着色対象のブロックの着色量が計測結果のアナログ的な表示部分となる。
【００１２】
つまり、本発明は、デジタル的な表示部分とアナログ的な表示部分を併せ持ち、面白みのある表示形態を表出させることができることとなる。しかも、無味乾燥になりがちな計測結果の表示に面白みを加えることができ、計測表示の多機能化を促進させることができる。特に、着色された前記１つのブロックの長軸を回転軸として、残りのブロックを３次元的に回転させる表示を行うようにしたので、着色されたブロックを見失うということがなくなり、計測表示の機能を十分に果たすことができる。
【００１３】
そして、前記ブロック群を構成する複数のブロックを円周に沿って配列するようにしてもよい。
【００１７】
そして、前記物理量としては、物体の長さ、重さ、速さ、加速度や、計測電流の大きさ、計測電圧の大きさ、周波数などがあるが、その他、カレンダ情報や時刻情報であってもよい。
【００２０】
さらに、前記ブロック群の表示と同時に、前記表示装置の画面に、前記コンピュータで使用されるパラメータの値を設定変更するためのメニュー画面を表示するようにしてもよい。
【００２１】
これにより、コンピュータのパラメータを設定変更する際に、使用者は、例えばメニュー画面をみながらパラメータの設定変更を行うが、このとき、パラメータの設定変更の値に基づいて例えばメニュー画面の後方に表示されているモデル画像が変化することになる。
【００２２】
通常、パラメータの設定変更は、項目と数字だけが並んだ殺風景な設定画面が表示されるのが一般的であるが、本発明では、パラメータの属性を象徴するモデル画像がメニュー画面の例えば後方に映し出され、しかも、パラメータの値に応じてモデル画像が変化することになるため、味気なかったパラメータの設定変更が面白いものとなり、コンピュータに対する興味を持たせることができる。
【００２３】
【発明の実施の形態】
以下、本発明に係る物理量表示方法、時刻表示方法、物理量表示装置、時刻表示装置及び記録媒体を物理量の計測結果を表示するための表示処理に適用した実施の形態例（以下、本実施の形態に係る計測結果表示処理と記す）を図１〜図１７を参照しながら説明する。
【００２４】
本実施の形態に係る計測結果表示処理は、時間情報を含む物理量の計測結果を、多数のブロックのうち、少なくとも１つの着色対象のブロックの位置関係と、該着色対象のブロックに対する着色量とで表すようにしたものである。
【００２５】
この計測結果表示処理の基本的な原理は、図１に示すように、２個以上のブロック１０２の集まりを１つのブロック群１００と定義したとき、前記ブロック群１００を構成する２個以上のブロック１０２を所定の規則に従って配列表示し、時間情報を含む物理量のスケールを２以上の小スケールに細分化してそれぞれ前記ブロック１０２に割り当て、少なくとも１つのブロック１０２ａに対して着色する表示を行う。そして、ある物理量の計測結果を、着色対象のブロック１０２ａの位置関係と、該着色対象のブロック１０２ａに対する着色量で表すことにある（第１の実施の形態に係る計測結果表示処理と記す）。
【００２６】
また、図２に示すように、ｎ種（ｎ＝１，２，３，・・・）のブロック群（図２ではｎ＝２の場合を示す）１１０及び１１２をそれぞれ個別の規則に従って配列表示し、ある物理量の計測結果を、各ブロック群１１０及び１１２を構成する各ブロック１１４及び１１６のうち、着色対象のブロック１１４ａ及び１１６ａの位置関係と、これら着色対象のブロック１１４ａ及び１１６ａに対する着色量で表す方法（第２の実施の形態に係る計測結果表示処理と記す）も採用することができる。
【００２７】
ブロック群１００、１１０及び１１２を構成する各ブロック１０２、１１４及び１１６は、それぞれ透明度のある多角形柱状（四角柱や六角柱など）として表示されるようになっている。
【００２８】
まず、図１に示す第１の実施の形態に係る計測結果表示処理について具体例を挙げて説明すると、ブロック群１００を構成する１２個のブロック１０２は、長軸を垂直に向けて横方向に配列された表示とされている。
【００２９】
更に、着色対象となっているブロック１０２ａは、そのブロック１０２ａが着色対象であることを一目で分かるように、該ブロック１０２ａが示す小スケールの値が０のときに１００％の着色を行うようにしている。これは、当該ブロック１０２ａの小スケールの値が０のときに０％の着色にしてしまうと、どのブロック１０２が選択されたかを認識することが困難になるからである。
【００３０】
そして、当該ブロック１０２ａにおいて、例えば小スケールの値が増加するに連れて、着色量が減少することになる。即ち、小スケールの値と着色量との関係で見ると、負特性となっている。
【００３１】
ここで、計測すべき物理量を、例えば物体の長さ、重さ、速さ、加速度や、計測電流の大きさ、計測電圧の大きさ、周波数などとした場合は、ブロック群１００を構成する各ブロック１０２の小スケールを、例えば１０ｃｍ、１０ｇ、１０ｍ／ｓ、１０ｍ／ｓ2、１０Ａ、１０Ｖ、１０ＭＨｚなどに定義することができる。
【００３２】
図１では、着色対象のブロック１０２ａの位置が左から４番目となっており、しかも、その着色量がほぼ９０％となっていることから、上述の物理量の計測結果は、４１ｃｍ、４１ｇ、４１ｍ／ｓ、４１ｍ／ｓ2、４１Ａ、４１Ｖ、４１ＭＨｚとなる。
【００３３】
つまり、例えば物体の長さが４１ｃｍであれば、４番目のブロックが着色対象のブロック１０２ａとして選択され、該選択されたブロック１０２ａに対して９０％の着色が行われることになる。
【００３４】
一方、物理量として、カレンダ情報を採用した場合は、各ブロック１０２が「月」を表し、着色量が「日」を表すことになる。従って、図１の例では、左から１月、２月・・・と数えた場合、４月３日あたりとなる。
【００３５】
また、物理量として、時刻情報を採用した場合は、各ブロック１０２が「時間」を表し、着色量が「分・秒」を表すことになる。特に、図１の例では、ブロック１０２が１２本しかないため、２４時間を表現する場合は、着色を変えるようにしてもよい。
【００３６】
例えば、午前０時から正午にかけては、例えば青色とし、正午から午後１２時にかけては、例えば赤色にするなどである。従って、図１の例では、左から１時、２時・・・と数えた場合、着色が青であれば、４時６分ごろを示し、着色が赤であれば、１６時６分ごろを示すことになる。
【００３７】
次に、第２の実施の形態に係る計測結果表示処理について図２を参照しながら説明する。
【００３８】
この第２の実施の形態に係る計測結果表示処理は、複数のブロック群１１０及び１１２がそれぞれ個別の規則に従って配列されている点で、前記第１の実施例に係る計測結果表示処理とは大きく異なる。図２の例では、細いブロック１１４で構成された第１のブロック群１１０が径の小さい円周に沿って配列され、太いブロック１１６で構成された第２のブロック群１１２が径の大きい円周に沿って配列され、各ブロック１１４及び１１６が、共に、長軸を径方向に向けて配列された例を示す。
【００３９】
２つのブロック群１１０及び１１２は、計測対象の物理量において互いに関連性を持たせるようにしてもよいし、関連性を持たせなくてもよい。互いに関連性を持たせた場合は、例えば内周側の第１のブロック群１１０に計測値の整数部分を受け持たせ、外周側の第２のブロック群１１２に計測値の小数点以下の部分を受け持たせるなど、様々な対応がある。
【００４０】
関連性を持たせない場合は、内周側の第１のブロック群１１０に例えば物体の長さを受け持たせ、外周側の第２のブロック群１１２に例えば物体の重さを受け持たせるなど、種々の場合がある。
【００４１】
一方、物理量として、時間情報を採用した場合は、例えば内周側の第１のブロック群１１０に時刻情報を受け持たせ、外周側の第２のブロック群１１２にカレンダ情報を受け持たせることができる。
【００４２】
この場合、図２において、矢印で示すブロックをそれぞれ「１２月」、「１２時」として時計回りにカレンダや時間が進むとしたとき、この図２の例では、１月５日あたりの３時５分ごろ（第１のブロック群１１０の着色を青としたとき）又は１５時５分ごろ（第１のブロック群１１０の着色を赤としたとき）を示すことになる。
【００４３】
また、物理量として、時刻情報を採用した場合は、例えば内周側の第１のブロック群１１０に短針の機能を受け持たせ、外周側の第２のブロック群１１２に長針の機能を受け持たせることができる。
【００４４】
即ち、第１のブロック群１１０においては、着色対象のブロック１１４ａの位置で時間（１時、２時など）が表示され、該着色対象のブロック１１４ａの着色量でその時間内での経過（例えば０分０秒〜５９分５９秒）が表示される。上述したように、０分０秒で着色量が１００％となり、時間（分、秒）の経過に従って着色量が減少する。このとき、着色が青の場合に、午前での時間経過を示し、着色が赤の場合に、午後での時間経過を示すことになる。
【００４５】
また、第２のブロック群１１２においては、着色対象のブロック１１６ａの位置で５分単位の時間経過（５分、１０分、１５分，・・・）が表示され、該着色対象のブロック１１６ａの着色量でその５分内での経過（例えば０分０秒〜４分５９秒）が表示される。この場合も、０分０秒で着色量が１００％となり、時間（分、秒）の経過に従って着色量が減少する。
【００４６】
そして、図２において、矢印で示すブロックを「１２時」として時計回りに時間が進むとしたとき、この図２の例では、３時６分ごろ（第１のブロック群１１０の着色を青としたとき）又は１５時６分ごろ（第１のブロック群１１０の着色を赤としたとき）を示すことになる。
【００４７】
つまり、第１のブロック群１１０における着色対象のブロック１１４ａの位置関係とその着色量で短針の位置が擬似的に表現され、第２のブロック群１１２における着色対象のブロック１１６ａの位置関係とその着色量で長針の位置が擬似的に表現されることになる。
【００４８】
更に、例えば図２に示す第１及び第２のブロック群１１０及び１１２を所定の規則に従って動作させるようにしてもよい。例えば、図３に示すように、第１のブロック群１１０を、その着色対象のブロック１１４ａの長軸を回転軸として例えば右方向に回転させ、第２のブロック群１１２を、その着色対象のブロック１１６ａの長軸を回転軸として例えば右方向に回転させることなどである。この場合、各ブロック群１１０及び１１２の回転数としては、第１のブロック群１１０を６０分に１回転とし、第２のブロック群１１２を６０秒に１回転としてもよい。
【００４９】
図３は、７時２６分ごろ（第１のブロック群１１０の着色を青としたとき）又は１９時２６分ごろ（第１のブロック群１１０の着色を赤としたとき）の動作状態を示す。
【００５０】
このように、本実施の形態に係る計測結果表示処理においては、時間情報を含む物理量の計測結果を、多数のブロック１０２、１１４、１１６のうち、少なくとも１つの着色対象のブロック１０２ａ、１１４ａ、１１６ａの位置関係と、該着色対象のブロック１０２ａ、１１４ａ、１１６ａに対する着色量とで表すようにしたので、ブロック群１００、１１０、１１２を構成する多数のブロック１０２、１１４、１１６における着色対象のブロック１０２ａ、１１４ａ、１１６ａの位置関係が、計測結果のデジタル的な表示部分となり、着色対象のブロック１０２ａ、１１４ａ、１１６ａの着色量が計測結果のアナログ的な表示部分となる。
【００５１】
つまり、本実施の形態に係る計測結果表示処理は、デジタル的な表示部分とアナログ的な表示部分を併せ持ち、面白みのある表示形態を表出させることができることとなる。
【００５２】
そして、この実施の形態では、ブロック群１１０及び１１２のうち、着色対象である少なくとも１つのブロック１１４ａ及び１１６ａを固定化して表示し、残りのブロック１１４、１１６を所定の規則に従って動作表示するようにしているため、無味乾燥になりがちな計測結果の表示に面白みを加えることができ、計測表示の多機能化を促進させることができる。
【００５３】
特に、この実施の形態では、着色対象のブロック１１４ａ及び１１６ａを軸として、残りのブロック１１４、１１６を任意の方向に回転させるようにしたので、着色対象のブロック１１４ａ及び１１６ａを見失うということがなくなり、計測表示の機能を十分に果たすことができる。
【００５４】
次に、上述した実施の形態に係る計測結果表示処理を例えば３次元のＣＧ処理を行うエンタテインメント装置１０に適用した実施の形態例（以下、単に実施の形態に係るエンタテインメント装置と記す）と、本発明に係る記録媒体並びにプログラムをエンタテインメント装置１０で実行されるプログラムやデータが記録された記録媒体並びにプログラムに適用した実施の形態例を図４〜図１７を参照しながら説明する。
【００５５】
本実施の形態に係るエンタテインメント装置１０は、図４に示すように、このエンタテインメント装置１０を制御するＭＰＵ１２と、各種プログラムの動作や各種データの格納等に使用されるメインメモリ１４と、ジオメトリ処理に必要な浮動小数点ベクトル演算を行うためのベクトル演算ユニット１６と、前記ＭＰＵ１２の制御に基づいて画像データを生成し、モニタ１８（この例ではＣＲＴ）に出力する画像処理部２０と、ＭＰＵ１２やベクトル演算ユニット１６と画像処理部２０との転送パスの調停等を行うグラフィックインターフェース（ＧＩＦ）２２と、外部機器とのデータの送受信を行うための入出力ポート２４と、例えばフラッシュメモリにより構成され、カーネル等の制御を行うためのＯＳＤ機能を内蔵したＲＯＭ（ＯＳＤＲＯＭ）２６と、カレンダ・時計機能を有するリアルタイムクロック２８とを具備して構成されている。
【００５６】
前記ＭＰＵ１２には、バス３０を介して、メインメモリ１４、ベクトル演算ユニット１６、ＧＩＦ２２、ＯＳＤＲＯＭ２６、リアルタイムクロック２８及び入出力ポート２４等が接続される。
【００５７】
入出力ポート２４には、例えばこのエンタテインメント装置１０に対してデータ（キー入力データや座標データ等）を入力するための入力装置３２や、各種プログラムやデータ（オブジェクトに関するデータやテクスチャデータ等）が記録された例えばＣＤ−ＲＯＭ等の光ディスク３４を再生する光ディスク装置３６等が接続される。
【００５８】
前記画像処理部２０は、レンダリングエンジン７０、メモリインターフェース７２、画像メモリ７４、表示制御装置７６（例えばプログラマブルＣＲＴコントローラ等）を有する。
【００５９】
レンダリングエンジン７０は、ＭＰＵ１２から供給される描画コマンドに対応して、メモリインターフェース７２を介して、画像メモリ７４に所定の画像データを描画する動作を実行する。
【００６０】
メモリインターフェース７２とレンダリングエンジン７０との間には第１のバス７８が接続され、メモリインターフェース７２と画像メモリ７４との間には第２のバス８０が接続されている。第１及び第２のバス７８及び８０は、それぞれ例えば１２８ビットのビット幅を有し、レンダリングエンジン７０が画像メモリ７４に対して高速に描画処理を実行することができるようになっている。
【００６１】
レンダリングエンジン７０は、例えばＮＴＳＣ方式、あるいはＰＡＬ方式などの３２０×２４０画素の画像データ、あるいは６４０×４８０画素の画像データを、リアルタイムに、即ち１／６０秒〜１／３０秒の間に、１０数回〜数１０回以上描画できる能力を有する。
【００６２】
画像メモリ７４は、例えばテクスチャ描画領域と表示描画領域を同一のエリアに指定することができるユニファイドメモリ構造のものが採用されている。
【００６３】
表示制御装置７６は、光ディスク３４から光ディスク装置３６を通じて取り込まれたテクスチャデータやメインメモリ１４上で作成されたテクスチャデータをメモリインターフェース７２を介して画像メモリ７４のテクスチャ描画領域に書き込んだり、画像メモリ７４の表示描画領域に描画された画像データをメモリインターフェース７２を介して読み取り、これをモニタ１８に出力し、画面上に表示させるように構成されている。
【００６４】
次に、上述した本実施の形態に係る計測結果表示処理を達成させるためのソフトウエア（第１の実施の形態に係る計測結果表示手段２００）の一例、特に、図２や図３に示すように、第２の実施の形態に係る計測結果表示処理において、時刻情報を表示させた場合について図５〜図７を参照しながら説明する。
【００６５】
この計測結果表示手段２００は、例えばＣＤ−ＲＯＭやメモリカードのようなランダムアクセス可能な記録媒体、あるいはＯＳＤＲＯＭ２６、さらにはネットワークによって前記エンタテインメント装置１０に提供されるようになっている。ここでは、ＯＳＤＲＯＭ２６からメインメモリ１４に読み込まれてＭＰＵ１２上で動作する場合を想定して説明を進める。
【００６６】
即ち、計測結果表示手段２００は、エンタテインメント装置１０に組み込まれたＯＳＤＲＯＭ２６から所定の処理を経てメインメモリ１４にダウンロードされることによって、ＭＰＵ１２上で動作されるようになっている。
【００６７】
そして、この計測結果表示手段２００は、図５に示すように、リアルタイムクロック２８から現在の時刻情報を読み出す時刻情報読出し手段２０２と、ＯＳＤＲＯＭ２６に登録されているオブジェクトデータファイル２０４から必要なブロック群１１０及び１１２のオブジェクトデータ２０６及び２０８を読み出すオブジェクトデータ読出し手段２１０と、時刻情報に基づいて着色対象のブロック１１４ａ及び１１６ａを決定する着色ブロック決定手段２１２と、時刻情報に基づいて着色量を決定する着色量決定手段２１４と、時刻情報に基づいてブロック群１１０及び１１２の回転角を求める回転角決定手段２１６とを有する。
【００６８】
また、前記計測結果表示手段２００は、決定された着色対象のブロック１１４ａ及び１１６ａの情報、着色量及び回転角の情報に基づいてオブジェクトデータ２０６及び２０８の頂点データを書き換える頂点データ書換手段２１８と、少なくともオブジェクトデータ２０６及び２０８に登録された頂点データに基づいて屈折処理、バンプマッピング処理等を行いながらレンダリング処理を行って画像メモリ７４にブロック群１１０及び１１２の３Ｄ画像を描画するブロック群描画手段２２０と、画像メモリ７４に描画されたブロック群１１０及び１１２の画像データをモニタ１８に出力して表示させる画像データ出力手段２２２と、処理の終了を判別する終了判別手段２２４とを有する。
【００６９】
次に、前記計測結果表示手段２００の処理動作を図６及び図７を参照しながら説明する。
【００７０】
この計測結果表示手段２００は、まず、図６のステップＳ１において、時刻情報読出し手段２０２を通じて、リアルタイムクロック２８から現在の時刻情報を読み出す。
【００７１】
次に、ステップＳ２において、オブジェクトデータ読出し手段２１０を通じて、オブジェクトデータファイル２０４から第１のブロック群１１０に関するオブジェクトデータ２０６を読み出す。
【００７２】
次に、ステップＳ３において、着色ブロック決定手段２１２を通じて、時刻情報の時間データに基づいて、着色対象のブロック１１４ａを決定する。その後、ステップＳ４において、着色量決定手段２１４を通じて、時刻情報の分データに基づいて、着色量を決定する。次いで、ステップＳ５において、頂点データ書換手段２１８を通じて、着色対象のブロックの頂点データのうち、着色量に応じた範囲の頂点データ（色に関する情報）を書き換える。
【００７３】
次に、ステップＳ６において、回転角決定手段２１６を通じて、時刻情報に基づいて、着色対象のブロック１１４ａの長軸を中心とした回転角を求める。次いで、ステップＳ７において、頂点データ書換手段２１８を通じて、前記決定された回転角に基づいて、第１のブロック群１１０の全頂点データ（座標に関する情報）を書き換える。
【００７４】
次に、ステップＳ８において、ブロック群描画手段２２０を通じて、第１のブロック群１１０を構成する全ブロック１１４について屈折処理やバンプマッピング処理を行いながらレンダリング処理を行って、画像メモリ７４に第１のブロック群１１０の３Ｄ画像データを描画する。
【００７５】
次に、図７のステップＳ９において、オブジェクトデータ読出し手段２１０を通じて、オブジェクトデータファイル２０４から第２のブロック群１１２に関するオブジェクトデータ２０８を読み出す。
【００７６】
次に、ステップＳ１０において、着色ブロック決定手段２１２を通じて、時刻情報の分データに基づいて、着色対象のブロック１１６ａを決定する。その後、ステップＳ１１において、着色量決定手段２１４を通じて、時刻情報の分データ及び秒データに基づいて、着色量を決定する。次いで、ステップＳ１２において、頂点データ書換手段２１８を通じて、着色対象のブロックの頂点データのうち、着色量に応じた範囲の頂点データ（色に関する情報）を書き換える。
【００７７】
次に、ステップＳ１３において、回転角決定手段２１６を通じて、時刻情報に基づいて、着色対象のブロック１１６ａの長軸を中心とした回転角を求める。次いで、ステップＳ１４において、頂点データ書換手段２１８を通じて、前記決定された回転角に基づいて、第２のブロック群１１２の全頂点データ（座標に関する情報）を書き換える。
【００７８】
次に、ステップＳ１５において、ブロック群描画手段２２０を通じて、第２のブロック群１１２を構成する全ブロック１１６について屈折処理やバンプマッピング処理を行いながらレンダリング処理を行って、画像メモリ７４に第２のブロック群１１２の３Ｄ画像データを描画する。
【００７９】
次に、ステップＳ１６において、画像データ出力手段２２２を通じて、前記画像メモリ７４に描画された画像データをモニタ１８に出力し、モニタ１８に第１及び第２のブロック群１１０及び１１２の３Ｄ画像を表示させる。
【００８０】
次に、ステップＳ１７において、終了判別手段２２４を通じて、この計測結果表示手段２００に対するプログラム終了要求があったか否かが判別される。終了要求がない場合は、ステップＳ１に戻って、上述の処理を繰り返し、終了要求があった場合は、この計測結果表示手段２００での処理が終了する。
【００８１】
このように、前記計測結果表示手段２００においては、エンタテインメント装置１０に光ディスク３４を装着しない状態で、該エンタテインメント装置１０に電源を供給した際に、３Ｄ画像による第１及び第２のブロック群１１０及び１１２で時刻情報を表現することが可能となる。
【００８２】
また、内周側の第１のブロック群１１０のうち、例えば現在の時間に対応する１本のブロック１１４ａが、着色された光で満たされていくアニメーションが表示され、時間の経過に従ってその着色された光が中心に向かって砂時計のように減っていくアニメーションが表示されることになる。
【００８３】
そして、前記第１のブロック群１１０は、中心点を共有した同一平面上に存在し、１本だけ着色されているブロック１１４ａと中心点とを結ぶ軸を中心とした軸回転運動を行う。この回転数は１時間に１回転としている。この軸回転運動は、１時間が経過し、着色が隣のブロック１１４ａに移動した際に、その着色されたブロック１１４ａを中心とした軸回転運動となる。
【００８４】
着色が隣のブロック１１４ａに移動する際には、該隣のブロック１１４ａを着色された光で満たすアニメーションが表示されることになる。
【００８５】
一方、外周側の第２のブロック群１１２においても、前記第１のブロック群１１０と同様に、現在の時間（５分毎の情報）に対応する１本のブロック１１６ａが、着色された光で満たされていくアニメーションが表示され、時間の経過に従ってその着色された光が中心に向かって砂時計のように減っていくアニメーションが表示されることになる。
【００８６】
そして、前記第２のブロック群１１２は、中心点を共有した同一平面上に存在し、１本だけ着色されているブロック１１６ａと中心点とを結ぶ軸を中心とした軸回転運動を行う。この回転数は６０秒に１回転としている。この軸回転運動は、５分が経過し、着色が隣のブロック１１６ａに移動した際に、その着色されたブロック１１６ａを中心とした軸回転運動となる。
【００８７】
この場合も、着色が隣のブロック１１６ａに移動する際には、該隣のブロック１１６ａを着色された光で満たすアニメーションが表示されることになる。
【００８８】
そして、第１及び第２のブロック群１１０及び１１２の３Ｄ画像を固定カメラ（視点）で見ることで、特定の時刻（例えば現在時刻）を表現することができる。
【００８９】
次に、本実施の形態に係るパラメータ設定変更手段３００（図１１参照）の一例について図８〜図１７を参照しながら説明する。
【００９０】
この実施の形態に係るパラメータ設定変更手段３００は、エンタテインメント装置１０を通じてモニタ１８にメニュー画面を表示し、メニュー画面から項目に応じた設定を経て各種パラメータの設定変更を実現させるためのものである。
【００９１】
具体的には、図８に示すように、このパラメータ設定変更手段３００は、モニタ１８の画面１８ａ上にメニューの項目数に応じた数のキューブ３０２を表示し、選択した項目の内容を設定変更するというものである。各キューブ３０２は、通常、透明度の高いキューブとして表示されているが、選択した項目に対応するキューブ３０２が例えば青色（半透明）に着色されるようになっている。図８では、３番目のキューブ３０２を選んで、項目内容として年月日と時刻を表示させた例を示す。
【００９２】
各キューブ３０２は、任意の軸を回転軸として自転するようになっており、特に、選択された項目に対応するキューブ３０２は、他のキューブ３０２とは異なった動き（揺動や急激な動き）をするようになっている。
【００９３】
また、このパラメータ設定変更手段３００では、例えば時刻の設定変更の場合に、例えば図９に示すように、第２の実施の形態に係る計測結果表示手段３２８を通じて、１つのブロック群３０４を所定の円周に沿って配列し、１２本の例えば六角形のブロック３０６のうち、時刻情報に応じた１つのブロック３０６ａを着色するようにした時計表示を行うようになっている。この場合、着色対象のブロック３０６ａが「時間」を表し、該着色対象のブロック３０６ａに対する着色量が「分・秒」を表すことになる。図９の例では、１時６分ごろ（ブロック群３０４の着色を例えば青としたとき）又は１３時６分ごろ（ブロック群３０４の着色を例えば赤としたとき）を示すことになる。
【００９４】
また、ブロック群３０４は、図１０に示すように、その着色対象のブロック３０６ａの長軸を回転軸として例えば右方向に回転するようになっており、各ブロック３０６も長軸を回転軸として自転するようになっている。ブロック群３０４の回転数としては６０秒に１回転とし、各ブロック３０６の自転の回転数としては１５秒に１回転としてもよい。
【００９５】
ブロック群３０４の内周側には、複数の光点３０８からなる光点群３１０が擬似的な１つの球体３１２（破線で示す）の周りを互いにランダムに移動する表示が行われる。各光点３０８は、数１０秒周期の動きパターンで移動するようになっており、しかも、残像処理によってこれら光点３０８の軌跡３１４が表示されるようになっている。これらの軌跡３１４から擬似的な球体３１２が浮かび上がり、前記複数の光点３０８があたかも１つの球体３１２の周りをランダムに回っているように見えることとなる。各光点３０８の動きは、時間帯で変わるように設定されている。
【００９６】
各光点３０８の移動とその軌跡３１４によって浮かび上がる球体３１２は、一定周期で収縮するようになっている。
【００９７】
更に、このパラメータ設定変更手段３００では、図８に示すように、例えばキューブ群３１６によるメニュー表示と、ブロック群３０４や光点３０８による時刻表示とが同時に行われるようになっており、この場合、前方の位置にメニュー表示が行われ、しかも、焦点が合った表示（鮮明な表示）がなされ、時刻表示はメニュー表示よりも後方の位置においてなされ、しかも、焦点がずれた表示（ぼやけた感じの表示）となっている。
【００９８】
そして、上述したように、ブロック群３０４は、ある一定の周期で回転しているが、ユーザがメニュー画面を用いて時刻を設定変更した際に、該メニュー画面の後方に映っているブロック群３０４がその設定変更された時刻に合わせて急激に回転することとなる。
【００９９】
メニュー表示が解除された場合は、着色対象のブロック３０６ａに焦点が合った表示がなされ、ブロック群３０４や光点３０８による時刻表示が前面に浮かび上がった感じで表示されることになる。
【０１００】
時刻の設定変更以外の項目としては、例えばＣＤ−ＲＯＭやＤＶＤ−ＲＯＭの再生トラックを設定したり、メモリカードのアクセスブロックを設定したりするなどの項目がある。図８では、３つのキューブ３０２が表示されているが、メニュー項目の数によって増減するようになっている。
【０１０１】
このパラメータ設定変更手段３００は、例えばＣＤ−ＲＯＭやメモリカードのようなランダムアクセス可能な記録媒体、あるいはＯＳＤＲＯＭ２６、さらにはネットワークによって前記エンタテインメント装置１０に提供されるようになっている。
【０１０２】
この実施の形態では、前記パラメータ設定変更手段３００は、エンタテインメント装置１０に組み込まれたＯＳＤＲＯＭ２６から所定の処理を経てメインメモリ１４にダウンロードされることによって、ＭＰＵ１２上で動作されるようになっている。
【０１０３】
そして、このパラメータ設定変更手段３００は、図１１に示すように、各種プログラムを起動するプログラム起動手段３２０と、該プログラム起動手段３２０にて起動され、モニタ１８に例えば図８に示すメニュー画面を表示するメニュー表示手段３２２と、入力装置３２を通じて操作入力があったか否かを判別するキー入力判別手段３２４と、操作入力に応じてメニュー項目の選択と必要なパラメータの設定を行うメニュー設定手段３２６と、前記プログラム起動手段３２０にて起動され、モニタ１８に例えば図８や図９に示す時刻表示を行う第２の実施の形態に係る計測結果表示手段３２８とを有する。
【０１０４】
また、このパラメータ設定変更手段３００は、メニュー表示手段３２２に対してキューブ３０２の着色を指示する着色指示手段３３０と、メニュー表示手段３２２に対して項目内容の表示を指示する項目表示指示手段３３２と、計測結果表示手段３２８による表示をぼかして表示するか否かを指示するぼかし設定／解除手段３３４と、メニュー表示手段３２２に対してメニュー画面の消去を指示するメニュー消去指示手段３３６と、処理の終了を判別する終了判別手段３３８とを有する。
【０１０５】
前記プログラム起動手段３２０を通じて起動されるメニュー表示手段３２２及び計測結果表示手段３２８は、パラメータ設定変更手段３００の管理下において、マルチタスク方式で動作するようになっている。
【０１０６】
メニュー表示手段３２２は、図１２に示すように、ＯＳＤＲＯＭ２６に登録されているオブジェクトデータファイル２０４から必要なキューブ群３１６のオブジェクトデータ３４０を読み出すオブジェクトデータ読出し手段３４２と、着色すべきキューブ３０２の情報を読み出す着色情報読出し手段３４４と、キューブ３０２の動作情報が登録された動作情報テーブル３４６から各キューブ３０２の自転に関する動作情報を読み出す第１の動作情報読出し手段３４８と、着色対象のキューブ３０２に対して特殊な動きをさせるための動作情報を読み出す第２の動作情報読出し手段３５０とを有する。
【０１０７】
また、メニュー表示手段３２２は、着色対象のキューブ３０２の情報、各キューブ３０２の動作情報に基づいてオブジェクトデータ３４０の頂点データを書き換える頂点データ書換手段３５２と、少なくともオブジェクトデータ３４０に登録された頂点データに基づいて屈折処理、バンプマッピング処理等を行いながらレンダリング処理を行って画像メモリ７４にキューブ群３１６の３Ｄ画像を描画するキューブ群描画手段３５４と、選択された項目に対応する項目内容を画像メモリ７４に書き込む項目表示手段３５６と、画像メモリ７４に描画されたキューブ群３１６の画像データ及び項目内容をモニタ１８に出力して表示させる画像データ出力手段３５８と、処理の終了を判別する終了判別手段３６０と、メニュー表示を消去するメニュー消去手段３６２とを有する。
【０１０８】
第２の実施の形態に係る計測結果表示手段３２８は、図１３に示すように、ＯＳＤＲＯＭ２６に登録されているオブジェクトデータファイル２０４から必要なブロック群３０４と光点群３１０のオブジェクトデータ３７０及び３７２を読み出すオブジェクトデータ読出し手段３７４と、リアルタイムクロック２８から現在の時刻情報を読み出す時刻情報読出し手段３７６と、時刻情報に基づいて着色対象のブロック３０６ａを決定する着色ブロック決定手段３７８と、時刻情報に基づいて着色量を決定する着色量決定手段３８０とを有する。
【０１０９】
また、前記計測結果表示手段３２８は、時刻情報に基づいてブロック群３０４の回転角を求める第１の回転角決定手段３８２と、時刻情報に基づいて各ブロック３０６の自転に関する回転角を求める第２の回転角決定手段３８４と、決定された着色対象のブロック３０６ａの情報、着色量及び回転角の情報に基づいてオブジェクトデータ３７０の頂点データを書き換える第１の頂点データ書換手段３８６と、少なくともオブジェクトデータ３７０に登録された頂点データに基づいて屈折処理、バンプマッピング処理等を行いながらレンダリング処理を行って画像メモリ７４にブロック群３０４の３Ｄ画像を描画するブロック群描画手段３８８とを有する。
【０１１０】
また、前記計測結果表示手段３２８は、各光点３０８の動作情報が登録された動作情報テーブル３９０から各キューブ３０２の動作情報を読み出す動作情報読出し手段３９２と、各光点３０８の動作情報に基づいてオブジェクトデータ３７２の頂点データを書き換える第２の頂点データ書換手段３９４と、少なくともオブジェクトデータ３７２に登録された頂点データに基づいて残像処理を行いながら画像メモリ７４に各光点３０８と軌跡３１４の３Ｄ画像を描画する光点群描画手段３９６と、ぼかし表示が必要な場合に、ブロック群３０４及び光点群３１０の描画データに対して画素ずらしと半透明処理等の手法を用いてぼかし処理を行うぼかし処理手段３９８と、画像メモリ７４に描画された少なくともブロック群３０４と光点群３１０の画像データをモニタ１８に出力して表示させる画像データ出力手段４００と、処理の終了を判別する終了判別手段４０２とを有する。
【０１１１】
次に、前記パラメータ設定変更手段３００の処理動作について図１４〜図１７のフローチャートを参照しながら説明する。
【０１１２】
このパラメータ設定変更手段３００は、まず、図１４のステップＳ１０１において、プログラム起動手段３２０を通じて、メニュー表示手段３２２を起動する。このメニュー表示手段３２２での処理は後述する。
【０１１３】
次に、ステップＳ１０２において、キー入力判別手段３２４を通じて、入力装置３２からの操作入力があったか否かが判別される。操作入力があった段階で、次のステップＳ１０３に進み、着色指示手段３３０を通じて、着色表示すべきキューブ３０２を指示する。この指定は、今回の操作入力によって選択された項目に対応するキューブ３０２を指示することによって行われ、メニュー表示手段３２２によって使用される。
【０１１４】
次に、ステップＳ１０４において、項目表示指示手段３３２を通じて、今回の操作入力によって選択された項目を指示する。この指示は、メニュー表示手段３２２によって使用される。
【０１１５】
次に、ステップＳ１０５において、キー入力判別手段３２４を通じて、今回の操作入力で選択された項目が時刻設定を示すものか否かが判別される。時刻設定の項目であれば、次のステップＳ１０６に進み、ぼかし設定／解除手段３３４を通じて、ぼかしを設定する指示を行う。この指示は、計測結果表示手段３２８によって使用される。
【０１１６】
次に、ステップＳ１０７において、プログラム起動手段３２０を通じて、計測結果表示手段３２８を起動する。この計測結果表示手段３２８での処理は後述する。
【０１１７】
次に、ステップＳ１０８において、キー入力判別手段３２４を通じて、入力装置３２からの操作入力があったか否かが判別される。操作入力があった段階で、次のステップＳ１０９に進み、メニュー設定手段３２６を通じて、今回の操作入力が時刻設定に対応したもの（正常入力）か否かが判別される。
【０１１８】
正常入力であれば、次のステップＳ１１０に進み、メニュー設定手段３２６を通じて、リアルタイムクロック２８の時刻情報を今回入力された時刻に書き換える。正常入力でなければ、ステップＳ１１１に進み、エラーメッセージをモニタ１８に出力して表示させる。
【０１１９】
前記ステップＳ１１０での処理又はステップＳ１１１での処理が終了した段階で、次のステップＳ１１２に進み、メニュー設定手段３２６を通じて、今回の時刻設定が終了したか否かが判別される。この判別は、例えば入力装置３２の所定のボタンによる操作入力があったか否かで行われる。
【０１２０】
時刻設定が終了していない場合は、前記ステップＳ１０８に戻り、該ステップＳ１０８以降の処理を繰り返す。時刻設定が終了したと判別された場合は、次のステップＳ１１３に進み、メニュー消去指示手段３３６を通じて、メニュー画面を消去する指示を行う。この指示はメニュー表示手段３２２で使用される。
【０１２１】
次に、ステップＳ１１４において、ぼかし設定／解除手段３３４を通じて、ぼかしを解除する指示を行う。この指示は計測結果表示手段３２８で使用される。
【０１２２】
一方、前記ステップＳ１０５において、時刻設定でないと判別された場合は、ステップＳ１１５に進み、今回選択された項目に応じた処理を行う。
【０１２３】
前記ステップＳ１１４での処理が終了した段階、あるいは前記ステップＳ１１５での処理が終了した段階で次のステップＳ１１６に進み、終了判別手段３３８を通じて、このパラメータ設定変更手段３００に対するプログラム終了要求があったか否かが判別される。
【０１２４】
終了要求がなければ、次のステップＳ１１７に進み、終了判別手段３３８を通じて、メニュー表示要求があったか否かが判別される。メニュー表示要求があった場合は、前記ステップＳ１０１に戻り、該ステップＳ１０１以降の処理を繰り返す。メニュー表示要求がなければ、再びステップＳ１１６に戻ってプログラム終了要求があったか否かが判別される。
【０１２５】
そして、前記ステップＳ１１６において、プログラム終了要求があった段階で、このパラメータ設定変更手段３００での処理が終了する。
【０１２６】
次に、メニュー表示手段３２２の処理動作を図１２の機能ブロック図及び図１５のフローチャートを参照しながら説明する。
【０１２７】
このメニュー表示手段３２２は、まず、図１５のステップＳ２０１において、オブジェクトデータ読出し手段３４２を通じて、オブジェクトデータファイル２０４からキューブ群３１６に関するオブジェクトデータ３４０を読み出す。
【０１２８】
次に、ステップＳ２０２において、着色情報読出し手段３４４を通じて、パラメータ設定変更手段３００における着色指示手段３３０からの指示に基づいて着色情報を読み出す。この着色情報は、着色対象のキューブ３０２の情報と色の情報（例えば青色）等である。次いで、ステップＳ２０３において、頂点データ書換手段３５２を通じて、着色対象のキューブ３０２の頂点データのうち、色に関する頂点データを書き換える。
【０１２９】
次に、ステップＳ２０４において、第１の動作情報読出し手段３４８を通じて、キューブ３０２の動作情報が登録された動作情報テーブル３４６から各キューブ３０２の自転に関する動作情報を読み出す。
【０１３０】
次に、ステップＳ２０５において、第２の動作情報読出し手段３５０を通じて、今回選択された項目が前回選択された項目と異なるか否かが判別される。異なる場合は、次のステップＳ２０６に進み、着色対象のキューブ３０２に対して特殊な動きをさせるための動作情報を読み出す。
【０１３１】
次に、ステップＳ２０７において、頂点データ書換手段３５２を通じて、着色対象のキューブ３０２の動作情報とその他のキューブ３０２の動作情報に基づいてオブジェクトデータ３４０の頂点データ（座標に関する情報）を書き換える。
【０１３２】
次に、ステップＳ２０８において、キューブ群描画手段３５４を通じて、全キューブ３０２について屈折処理やバンプマッピング処理を行いながらレンダリング処理を行って、画像メモリ７４にキューブ群３１６の３Ｄ画像データを描画する。
【０１３３】
次に、ステップＳ２０９において、項目表示手段３５６を通じて、パラメータ設定変更手段３００における項目表示指示手段３３２からの項目（今回選択された項目）の情報に基づいて、該項目の内容を示す表示データを読み出す。次いで、ステップＳ２１０において、項目表示手段３５６を通じて、今回選択された項目に対応する項目内容（表示データ）を画像メモリ７４に書き込む。
【０１３４】
次に、ステップＳ２１１において、画像データ出力手段３５８を通じて、画像メモリ７４に描画されたキューブ群３１６の画像データ及び項目内容をモニタ１８に出力し、該モニタ１８にキューブ群３１６の３Ｄ画像と今回選択された項目に対応する内容を表示させる。このとき、今回選択された項目に対応するキューブ３０２のみが例えば青色（半透明）で表示されることになる。
【０１３５】
次に、ステップＳ２１２において、メニュー表示の終了要求（消去要求）があったか否かが判別される。この判別は、パラメータ設定変更手段３００におけるメニュー消去指示手段３３６からの指示に基づいて行われる。メニュー終了要求がない場合は、前記ステップＳ２０２に戻り、該ステップＳ２０２以降の処理を繰り返す。終了要求があった場合は、次のステップＳ２１３に進み、メニュー消去手段３６２を通じて、画像メモリ７４に描画されているメニュー表示に関する画像データを全て消去する。これによって、モニタ１８の画面上からメニュー表示が消去されることになる。
【０１３６】
前記ステップＳ２１３での処理が終了した段階で、このメニュー表示手段３２２での処理が終了する。
【０１３７】
次に、第２の実施の形態に係る計測結果表示手段３２８の処理動作を図１３の機能ブロック図並びに図１６及び図１７のフローチャートを参照しながら説明する。
【０１３８】
この計測結果表示手段３２８は、まず、図１６のステップＳ３０１において、オブジェクトデータ読出し手段３７４を通じて、オブジェクトデータファイル２０４からブロック群３０４に関するオブジェクトデータ３７０と光点群３１０に関するオブジェクトデータ３７２を読み出す。
【０１３９】
次に、ステップＳ３０２において、時刻情報読出し手段３７６を通じて、リアルタイムクロック２８から現在の時刻情報を読み出す。
【０１４０】
次に、ステップＳ３０３において、着色ブロック決定手段３７８を通じて、時刻情報の時間データに基づいて、着色対象のブロック３０６ａを決定する。その後、ステップＳ３０４において、着色量決定手段３８０を通じて、時刻情報の分データ及び秒データに基づいて、着色量を決定する。次いで、ステップＳ３０５において、第１の頂点データ書換手段３８６を通じて、着色対象のブロック３０６ａの頂点データのうち、着色量に応じた範囲の頂点データ（色に関する情報）を書き換える。
【０１４１】
次に、ステップＳ３０６において、第１の回転角決定手段３８２を通じて、時刻情報に基づいて、着色対象のブロック３０６ａの長軸を中心とした回転角を求める。その後、ステップＳ３０７において、第２の回転角決定手段３８４を通じて、時刻情報に基づいて、各ブロック３０６の自転に関する回転角を求める。次いで、ステップＳ３０８において、第１の頂点データ書換手段３８６を通じて、前記決定されたブロック群３０４全体の回転角及び各ブロック３０６の自転に関する回転角に基づいて、ブロック群３０４の全頂点データ（座標に関する情報）を書き換える。
【０１４２】
次に、ステップＳ３０９において、ブロック群描画手段３８８を通じて、ブロック群３０４を構成する全ブロック３０６について屈折処理やバンプマッピング処理を行いながらレンダリング処理を行って、画像メモリ７４にブロック群３０４の３Ｄ画像データを描画する。
【０１４３】
次に、ステップＳ３１０において、動作情報読出し手段３９２を通じて、各光点３０８の動作情報が登録された動作情報テーブル３９０から各光点３０８の動作情報を読み出す。次いで、ステップＳ３１１において、第２の頂点データ書換手段３９４を通じて、各光点３０８の動作情報に基づいてオブジェクトデータ３７２の頂点データを書き換える。
【０１４４】
次に、ステップＳ３１２において、光点群描画手段３９６を通じて、光点群３１０を構成する全光点３０８について残像処理を行いながら画像メモリ７４に光点群３１０の３Ｄ画像データを描画する。
【０１４５】
次に、ステップＳ３１３において、ぼかし処理手段３９８を通じて、ぼかし表示が必要か否かが判別される。この判別は、パラメータ設定変更手段３００におけるぼかし設定／解除手段３３４からのぼかし表示に関する情報に基づいて行われる。
【０１４６】
ぼかし表示が必要であれば、次のステップＳ３１４に進み、ぼかし処理手段３９８を通じて、ブロック群３０４及び光点群３１０の描画データに対して画素ずらしと半透明処理等の手法を用いてぼかし処理を行う。
【０１４７】
前記ステップＳ３１４での処理が終了した段階、あるいは前記ステップＳ３１３においてぼかし表示が不要と判別された場合は、次のステップＳ３１５に進み、画像データ出力手段４００を通じて、画像メモリ７４に描画された少なくともブロック群３０４と光点群３１０の画像データをモニタ１８に出力し、該モニタ１８に少なくともブロック群３０４と光点群３１０の３Ｄ画像を表示させる。このとき、メニュー表示が必要であれば、メニュー表示も行われる。
【０１４８】
次に、ステップＳ３１６において、終了判別手段４０２を通じて、この計測結果表示手段３２８に対するプログラム終了要求があったか否かが判別される。終了要求がなければ、前記ステップＳ３０２に戻り、該ステップＳ３０２以降の処理を繰り返す。
【０１４９】
そして、前記ステップＳ３１６において、終了要求があった段階で、この計測結果表示手段３２８での処理が終了する。
【０１５０】
このように、本実施の形態に係るパラメータ設定変更手段３００においては、エンタテインメント装置１０で使用される各種パラメータを設定変更するためのメニュー画面と、設定変更の対象となっているパラメータの属性を象徴するモデル画像（ブロック群３０４と光点群３１０の組合せ表示）とを同時に表示し、操作入力による前記パラメータの設定変更に伴って、前記モデル画像を前記設定変更の値に基づいて変化させるようにしたので、エンタテインメント装置１０のパラメータを設定変更する際に、ユーザは、例えばメニュー画面をみながらパラメータの設定変更を行うが、このとき、パラメータの設定変更の値に基づいて例えばメニュー画面の後方に表示されているモデル画像が変化することになる。
【０１５１】
通常、パラメータの設定変更は、項目と数字だけが並んだ殺風景な設定画面が表示されるのが一般的であるが、本実施の形態では、パラメータの属性を象徴するモデル画像がメニュー画面の例えば後方に映し出され、しかも、パラメータの値に応じてモデル画像が変化する。このとき、着色対象のブロックの位置が変化したり、その着色量が変化し、また、ブロック群の回転状態が急激に変化することになることになる。
【０１５２】
このように、本実施の形態に係るパラメータ設定変更手段３００によれば、味気なかったパラメータの設定変更が面白いものとなり、エンタテインメント装置１０に対する興味を持たせることができる。
【０１５３】
特に、第２の実施の形態に係る計測結果表示手段３２８においては、１つのブロック群３０４で時刻を表現し、ブロック群３０４の内周側において複数の光点３０８を１つの球体３１２に沿って移動するように表示させるようにしたので、印象深い時刻表示を行わせることができ、顧客吸引力の向上を図ることができる。
【０１５４】
上述の例では、第１及び第２のブロック群１１０及び１１２並びに１つのブロック群３０４で時刻情報を表現する場合を主体に説明したが、その他、すでに述べたように、カレンダ情報や、物体の長さ、重さ、速さ等を表現する場合にも簡単に適用させることができる。
【０１５５】
また、本実施の形態に係るパラメータ設定変更手段３００では、時刻の設定変更を主体に説明したが、その他、例えばＣＤ−ＲＯＭやＤＶＤ−ＲＯＭの再生トラックを設定変更したり、メモリカードのアクセスブロックを設定変更する場合などにも適用させることができる。
【０１５６】
なお、この発明に係る物理量表示方法、時刻表示方法、物理量表示装置、時刻表示装置及び記録媒体は、上述の実施の形態に限らず、この発明の要旨を逸脱することなく、種々の構成を採り得ることはもちろんである。
【０１５７】
【発明の効果】
以上説明したように、本発明に係る物理量表示方法、時刻表示方法、物理量表示装置、時刻表示装置及び記録媒体によれば、時間情報を含む物理量の計測結果を表示する場合に、デジタル的な表示部分とアナログ的な表示部分を併せ持ち、面白みのある表示形態を表出させることができる。
【０１５８】
また、本発明に係る物理量表示方法、時刻表示方法、物理量表示装置、時刻表示装置及び記録媒体によれば、味気なかったパラメータの設定変更を面白くすることができ、コンピュータに対する興味を持たせることができる。
【図面の簡単な説明】
【図１】第１の実施の形態に係る計測結果表示処理を示す説明図である。
【図２】第２の実施の形態に係る計測結果表示処理を示す説明図である。
【図３】第１及び第２のブロック群を回転させた状態を示す説明図である。
【図４】本実施の形態に係るエンタテインメント装置の構成を示すブロック図である。
【図５】本実施の形態に係る計測結果表示手段の構成を示す機能ブロック図である。
【図６】本実施の形態に係る計測結果表示手段の処理動作を示すフローチャート（その１）である。
【図７】本実施の形態に係る計測結果表示手段の処理動作を示すフローチャート（その２）である。
【図８】本実施の形態に係るパラメータ設定変更手段による表示画面の一例を示す説明図である。
【図９】メニュー表示を消去させた状態を示す説明図である。
【図１０】ブロック群を回転させた状態を示す説明図である。
【図１１】本実施の形態に係るパラメータ設定変更手段の構成を示す機能ブロック図である。
【図１２】メニュー表示手段の構成を示す機能ブロック図である。
【図１３】第２の実施の形態に係る計測結果表示手段の構成を示す機能ブロック図である。
【図１４】本実施の形態に係るパラメータ設定変更手段の処理動作を示すフローチャートである。
【図１５】メニュー表示手段の処理動作を示すフローチャートである。
【図１６】第２の実施の形態に係る計測結果表示手段の処理動作を示すフローチャート（その１）である。
【図１７】第２の実施の形態に係る計測結果表示手段の処理動作を示すフローチャート（その２）である。
【符号の説明】
１０…エンタテインメント装置    １２…ＭＰＵ
１８…モニタ                    ２０…画像処理部
２６…ＯＳＤＲＯＭ              ２８…リアルタイムクロック
７４…画像メモリ                １００…ブロック群
１０２、１１４、１１６…ブロック
１０２ａ、１１４ａ、１１６ａ…着色対象のブロック
１１０…第１のブロック群        １１２…第２のブロック群
２００…計測結果表示手段        ２０２…時刻情報読出し手段
２１２…着色ブロック決定手段    ２１４…着色量決定手段
２１６…回転角決定手段          ２１８…頂点データ書換手段
２２０…ブロック群描画手段      ２２２…画像データ出力手段
３００…パラメータ設定変更手段  ３０２…キューブ
３０４…ブロック群              ３０６…ブロック
３０６ａ…着色対象のブロック    ３０８…光点
３１０…光点群                  ３１２…球体
３１４…軌跡                    ３１６…キューブ群
３２２…メニュー表示手段        ３２８…計測結果表示手段
【図１】
0003799223.tif 000002
【図２】
0003799223.tif 000003
【図３】
0003799223.tif 000004
【図４】
0003799223.tif 000005
【図５】
0003799223.tif 000006
【図６】
0003799223.tif 000007
【図７】
0003799223.tif 000008
【図８】
0003799223.tif 000009
【図９】
0003799223.tif 000010
【図１０】
0003799223.tif 000011
【図１１】
0003799223.tif 000012
【図１２】
0003799223.tif 000013
【図１３】
0003799223.tif 000014
【図１４】
0003799223.tif 000015
【図１５】
0003799223.tif 000016
【図１６】
0003799223.tif 000017
【図１７】
0003799223.tif 000018